(57)【要約】【課題】使用方法、用途等を間違えることのないキーホルダー型ＳＩＭホルダーを提供する。【解決手段】本発明のＳＩＭホルダー１は、内部に非接触交信のためのアンテナコイル１１を有し、かつ薄板状のＳＩＭを着脱可能に収容するキーホルダー型ＳＩＭホルダーであって、上蓋部１８と下側ケース部１９から構成されるＳＩＭホルダーの下側ケース部は、収容するＳＩＭを視認できるように透明かつ略平坦面にされ、上蓋部には当該ＳＩＭホルダーを特徴付ける装飾的材料あるいは成形体５が取り付けられていることを特徴とする。【選択図】　　図１
2004139480.tif 000002
【特許請求の範囲】
【請求項１】
内部に非接触交信のためのアンテナコイルを有し、かつ薄板状のＳＩＭを着脱可能に収容するキーホルダー型ＳＩＭホルダーであって、上蓋部と下側ケース部から構成されるＳＩＭホルダーの下側ケース部は、収容するＳＩＭを視認できるように透明かつ略平坦面にされ、上蓋部には当該ＳＩＭホルダーを特徴付ける装飾的材料あるいは成形体が取り付けられていることを特徴とするＳＩＭホルダー。
【請求項２】
装飾的材料あるいは成形体が上蓋部に着脱可能に嵌め込まれていることを特徴とする請求項１記載のＳＩＭホルダー。
【請求項３】
成形体がミニチュア模型であることを特徴とする請求項１記載のＳＩＭホルダー。
【請求項４】
収容するＳＩＭが、厚み１．０ｍｍ以内の薄板状であって、表面形状が２５ｍｍ×１５ｍｍ以内の略矩形状に形成されていることを特徴とする請求項１記載のＳＩＭホルダー。
【請求項５】
収容するＳＩＭの接触端子板とは反対側の面に顔写真加工、ネームプリント、番号プリントのいずれかまたはその組み合わせの加工またはプリントがされていることを特徴とする請求項１記載のＳＩＭホルダー。
【発明の詳細な説明】
【０００１】
【発明の属する技術分野】
本発明は、ＳＩＭホルダーに関する。
詳しくは、ＳＩＭを着脱可能に収容し内部にアンテナコイルを有するＳＩＭホルダーに装飾的材料や成形体を取り付けしたキーホルダー型ＳＩＭホルダーに関する。
したがって、本発明の属する技術分野は、このようなＳＩＭホルダーの製造や利用の分野に関する。
【０００２】
【従来技術】
近年、車のキーと一緒に持ち歩けるようなキーホルダー型のＩＤモジュールが利用されている。このＩＤモジュールは、非接触ＩＣチップとアンテナを内蔵して射出成形などで作られている。
このものは例えば、セルフ給油所でキーホルダーを自動精算システムにかざせば、キーホルダーが給油機と非接触交信して瞬時に非接触で精算できるというものである（非特許文献１）。料金は、後日カード決済されるが、従来のように、クレジットカードを精算機に通す手間がかからない利点がある。
【０００３】
上記と使用形態は異なるが、ＩＣカードを用いて非接触交信をするためのアタッチメント等に関しては、特許文献１や特許文献２等の先行技術がある。
特許文献１は、札入れサイズのカードを赤外線やレーザ光を送信するリモコン装置を使用して非接触交信しようとするものであって光発信装置や電池を内蔵するため装置が大型化する問題がある。
また、特許文献２のＩＣカード自体は非接触交信インターフェイスを備えず、アタッチメントを介して間接的に外部装置と非接触交信するので、アタッチメントが大がかりなものとなってしまい小型化できない問題がある。
【０００４】
一方近年、携帯電話には小型のＳＩＭやＵＩＭ、ＵＳＩＭカードと呼ばれるセキュリティＩＤモジュールが組み込まれてきている。日本でも最新の携帯電話には組み込まれて既に実用化されている。
ＵＩＭ（Ｕｓｅｒ　Ｉｄｅｎｔｉｔｙ　Ｍｏｄｕｌｅ）　は、携帯電話会社が発行する契約者情報を記録した小型のＩＣカードであって携帯電話機に組み込んで利用者の識別に使用する。これは同様の機能を持つＳＩＭ（Ｓｕｂｓｃｒｉｂｅｒ　Ｉｄｅｎｔｉｔｙ　Ｍｏｄｕｌｅ）から機能拡張が行われたもので、契約者情報以外に電話帳などのプライベート情報やクレジット決済用の個人識別情報などを暗号化して登録することが可能となっている。
いずれにしても、このようなＳＩＭまたはＵＩＭは既存技術が有るので製造や発行処理が容易である。
【０００５】
ところで、冒頭記載のようなキーホルダー型のＩＤモジュールは、ＩＣチップを射出成形等で樹脂成形するので、従来のＩＣカードのような方式で製造したり発行処理することができない問題がある。
そこで、本願出願人は、先に非接触ＩＤ部分を携帯電話等に利用するＳＩＭ形状とし、ＳＩＭ自体に接触および非接触交信のデュアルインターフェイスを備えさせると共に、ＳＩＭ自体あるいはＳＩＭを装着するＳＩＭホルダーにアンテナを形成することで、非接触ＩＤモジュールとして利用できることを着想し、特許文献３の出願を行っている。
【０００６】
図７は、前記先行出願（特許文献３）に係るＳＩＭホルダーを示す図であって、図７（Ａ）は表面側斜視図、図７（Ｂ）は裏面側斜視図である。
図７（Ａ）のように、ＳＩＭホルダー１は、ＳＩＭ２を挿入口１５から挿入して着脱可能に収容することができる。ＳＩＭホルダー１内には、端子板１２とアンテナコイル１１が設けられている。アンテナコイル１１は概ねＳＩＭ２の外周に沿うように形成されている。
アンテナコイル１１は端子板１２を介してＳＩＭ２のＩＣチップの非接触インターフェース部に接続するようにされている。これにより、ＳＩＭ２はアンテナコイル１１により外部機器との非接触交信が可能となる。
【０００７】
多くの場合、ＳＩＭホルダー１は、ケースを上下に分離する上蓋部１８と下側ケース部１９をプラスチック材料で成形してから、端子板１２やそれを実装するプリント基板（不図示）を装着し、係合ピンと係合穴（不図示）により上蓋部１８と下側ケース部１９を組み合わせて一体にすることが行われる。
アンテナコイル１１は、この上蓋部１８や下側ケース部１９の内周面に形成したり、実装するプリント基板の外周に形成することができる。
また、キーホルダー用途の目的を達成するため、キー取り付け穴１４が設けられている。キー取り付け穴１４に鎖紐（不図示）を通しておくことでＳＩＭ２の不用意な脱落を防止することもできる。
【０００８】
ＳＩＭホルダー１の裏面側は、図７（Ｂ）のようになっている。
端子板１２の背面には８個のコンタクトピン１３が突出していて、ＳＩＭ２の接触端子板２２との良好な接触状態が確保される。下側ケース部１９は透明なプラスチック樹脂で成形するのが好ましく、透明であることにより挿入したＳＩＭ２の顔写真加工等により利用者を肉眼で識別することができる。
なお、符号１６はピン穴を示し、ボールペンの先端などを挿入して板バネ等による係合を解除すれば、ＳＩＭ２を外部に押し出すことができるものである。
【０００９】
【非特許文献１】平成１４年８月７日付け日経産業新聞（１面）
【特許文献１】特開平１０−３３４１９３号公報
【特許文献２】実用新案登録第２５５０５０２号公報
【特許文献３】特願２００２−２４４６１３号
【００１０】
【発明が解決しようとする課題】
しかし、上述のようなＳＩＭを内蔵し、接触と非接触交信のデュアルインターフェイスを備えるＳＩＭホルダーは小型で携帯性に優れ、各種用途に利用できる利便性が有るが、表記や印刷スペースが狭いため、利用者に十分に使用方法や用途等を理解させることができない場合がある。
そこで本発明では、ＳＩＭホルダーの外観形態で利用者が使用方法や利用分野を直ちに観念できるようにすべく研究して本発明の完成に至ったものである。
【００１１】
【問題を解決するための手段】
上記課題を解決するための本発明の要旨は、内部に非接触交信のためのアンテナコイルを有し、かつ薄板状のＳＩＭを着脱可能に収容するキーホルダー型ＳＩＭホルダーであって、上蓋部と下側ケース部から構成されるＳＩＭホルダーの下側ケース部は、収容するＳＩＭを視認できるように透明かつ略平坦面にされ、上蓋部には当該ＳＩＭホルダーを特徴付ける装飾的材料あるいは成形体が取り付けられていることを特徴とするＳＩＭホルダー、にある。
【００１２】
上記において、装飾的材料あるいは成形体は上蓋部に着脱可能に嵌め込まれていても良く、成形体はミニチュア模型であっても良い。
また、収容するＳＩＭが、厚み１．０ｍｍ以内の薄板状であって、表面形状が２５ｍｍ×１５ｍｍ以内の略矩形状に形成されていれば、ＳＩＭホルダーを小型化でき、ＳＩＭの接触端子板とは反対側の面に顔写真加工、ネームプリント、番号プリントのいずれかまたはその組み合わせの加工またはプリントがされていれば、利用者の識別に便利である。
【００１３】
【発明の実施の形態】
本発明はＳＩＭホルダーに関する発明であるが、まず、本発明に使用するＳＩＭ（ＩＤモジュール）から説明することとする。
本発明に使用するＳＩＭは、前述したＳＩＭやＵＩＭであって（以下および特許請求の範囲において、ＳＩＭとは、ＵＩＭを含めたＩＤモジュールを総称するものとして表現する。）、接触・非接触両用のＩＣチップを有する（デュアルインターフェイスを備える）ことを特徴とする。
従来のＳＩＭは、接触式であって携帯端末の端子間と端子板を介して接触交信のみしているが、本発明に使用するＳＩＭは接触交信だけに限られない。
【００１４】
また、本発明に使用するＳＩＭ（ＩＤモジュール）は、本来の契約者情報やクレジット決済用の個人識別情報などの他に、プリペイドカード機能や交通機関用途等を兼ねる場合には、それらの識別コードや前払い金額、有効期間や区間等の情報を別途に備えるものとする。
あるいは、携帯電話機用途のＳＩＭと兼用する場合には、前記のように、契約者情報や電話帳などのプライベート情報、クレジット決済用の個人識別情報などを暗号化して登録することもできるものとする。
【００１５】
本発明に使用するＳＩＭは、図６のように、基板２０に接触端子板２２を有し、接触端子板背面にはモジュール化したＩＣチップを搭載している。
ＳＩＭ２は、さらに基板内に埋設されていて接触端子板２２のＩＣチップに接続するアンテナコイル２１を有していても良い。ＳＩＭホルダーがアンテナコイルを有するのが必須であるが、ＳＩＭ２にもアンテナコイルがあれば、通信能力が拡大されるからである。
【００１６】
ＳＩＭ２は、一般的には長辺Ｌ１が、２５ｍｍ程度、短辺Ｌ２が１５ｍｍ程度に形成されている。厚みは１．０ｍｍ以内で、通常は０．７６ｍｍの均一な薄板状のものである。
矩形状ＳＩＭの一端隅角部に切り欠き２３を有するのは、ＳＩＭをＳＩＭホルダーに装着する際の整合を容易にするためのものである。請求項において略矩形状と表現するのはこのような切り欠きを有するからである。
ＳＩＭ２の基板２０も一般のＩＣカードと同様にプラスチック材料から構成されている。
【００１７】
以下、本発明のＳＩＭホルダーについて図面を参照して説明する。
本発明のＳＩＭホルダーの機能は、前述した図７に図示したものと実質的に同一であるので、以下は主としてその外観形態について説明する。
図１は、本発明のＳＩＭホルダーの例を示す図であって、図１（Ａ）は横側から見た図、図１（Ｂ）は正面から見た図である。
図２は、ＳＩＭホルダーに成形体５を取り付ける状態を示す図であって、図２（Ａ）は横側から見た図、図２（Ｂ）はＳＩＭホルダーのみの上面図である。
図３は、ＳＩＭホルダーに取り付ける装飾的材料の例を示す図、図４は、装飾的材料の他の例を示す図である。
図５は、ＳＩＭホルダーにＳＩＭを装着して下側ケースから見た図である。
【００１８】
本発明のＳＩＭホルダーの一実施形態では、図１のように、ＳＩＭホルダー１に成形体５が取り付けられている。この実施形態の場合の成形体は自動車のミニチュア模型５ｍであって、ＳＩＭホルダー１の上蓋部１８に固定されている。
ＳＩＭホルダー１の上蓋部１８と下側ケース部１９は、従来品と同様にプラスチック成形され、特に下側ケース部１９は透明樹脂により略平坦面に形成することが好ましい。
下側ケース部１９が平坦面であることにより、ＳＩＭホルダーをＳＩＭ読取装置に接近させる際、ＳＩＭホルダーのどの面を接近させるのかを容易に判断できる。本来は、表裏共に非接触読み取り可能であって、どちらの面でも構わないのであるが、無駄に悩むことを無くすことができるからである。
【００１９】
ＳＩＭホルダーに成形体５を取り付ける場合は、図２（Ａ）のように、例えば、自動車のミニチュア模型５ｍに差し込み部材５ｓを設けておいて、ＳＩＭホルダー１の嵌め込み部１ｈに差し込みする。
ＳＩＭホルダー１の上蓋部１８には、図２（Ｂ）のように嵌め込み部１ｈが４箇所形成されていて、自動車のミニチュア模型５ｍを取り付けできるようにされている。成形体は着脱可能にしても良く、差し込みと同時に接着剤で固定しても勿論構わない。
成形体５はプラスチック材料の射出成形体が多く利用されるが、手細工的に加工した模型等であっても良い。
【００２０】
図３は、装飾的材料の例を示す図であって、図３（Ａ）は、その斜視図、図３（Ｂ）は図３（Ａ）のａ−ａ線断面を示している。
ＳＩＭホルダーに取り付ける装飾的材料は、図３のようなキャラクターやロゴを表わした装飾的材料６とすることができる。
図３の装飾的材料６は、型押し等により樹脂成形したキャラクター、ロゴ形成層６ｋに粘着剤層６ｎを塗工したもので、通常は粘着剤を保護する保護紙６ｈがさらに設けられている。ロゴの場合は、ＳＩＭの発行会社やＳＩＭに搭載しているアプリケーションを意味するものとすることができる。
ＳＩＭホルダーにキャラクターやロゴを取り付ける場合は、剥離可能な保護紙６ｈを除去して粘着剤層６ｎで直接ＳＩＭホルダーに貼付する。
【００２１】
装飾的材料の他の実施形態として、図４のような粘着ラベル状のものであっても良い。この装飾的材料６の場合は、透明な保護樹脂層６ｐに印刷層６ｉを設け、さらに粘着剤層６ｎと保護紙６ｈを設けている。印刷層６ｉに代えてホログラム層を設けるものであっても良い。
印刷層６ｉには、ＳＩＭホルダーの用途や使用方法が簡単に分かるような表示や装飾的な印刷をすることができる。
【００２２】
ＳＩＭホルダーの上蓋部に上記のような成形体や装飾的材料を取り付けることにより、例えば、成形体が自動車のミニチュア模型であれば、車のキーであるとか、ガソリンスタンドのプリペイド用途であることを連想することができる。
また、クレジット用途で使用する場合は、ＳＩＭホルダーの上蓋形状がＳＩＭ発行会社のキャラクターとなっていれば、どのＳＩＭ（クレジット会社）を使用するか即時に判断することができる。
さらに、アミューズメント施設でＳＩＭを利用する場合は、その施設の関連するキャラクターの形状となっていることで、使用者の満足度が向上する。
【００２３】
図５は、ＳＩＭホルダーにＳＩＭを装着して下側ケース部から見た図である。
ＳＩＭホルダー１の下側ケース部が透明樹脂で形成されていれば、ＳＩＭ２が装着された状態で顔写真加工７やネームプリント８、番号プリント９を視認することができ、本人認証のために便利である。これらは全てを備える必要はなく顔写真だけであったり、ネームプリントとの組み合わせであっても良い。
このようなプラスチック材料としては、アクリル系樹脂、ポリカーボネート樹脂、ポリプロピレンやポリエチレン等のポリオレフィン系樹脂、ポリスチレン樹脂、塩化ビニル樹脂、等を使用できる。
【００２４】
上蓋部は透明あるいは不透明樹脂で成形し、さらに着色しても良い。不透明であれば回路基板を隠せるし、着色により、模型などの意匠性や視認性を高めることができる。
ＳＩＭホルダーの外形の表面形状は、２５ｍｍ×５０ｍｍ程度以内に形成されていれば、小型であって携帯に便利となる。
【００２５】
アンテナコイル１１は、組み合わせ前の下側ケース部１９や上蓋部１８の内周面に設けることができる。あるいは端子板１２を実装するプリント基板にエッチングしたりプリント配線することができる。このアンテナコイル１１と端子板１２の端子間は適宜な配線手段により接続される。
アンテナコイル１１は、ＳＩＭホルダーの他の配線や金属材料の無い部分の平面に形成するのが通信を確実にし交信距離を大きくできる。
【００２６】
【発明の効果】
以上のように、本発明のＳＩＭホルダーには、成形体あるいは装飾的材料が取り付けられているので、使用者はその外観を見ただけで、用途や使用方法を観念することができる。従って、複数種のＳＩＭホルダーを携帯していても使用目的を間違えるようなことは少なくなる。
本発明のＳＩＭホルダーは、記述のごとくキーホルダー的なものであり小型である。したがって、携帯電話のストラップに付属して、携帯電話と一緒に持ち運びができて、上述のごとく非接触ＩＣカードインフラでの使用の際は、携帯電話機から取り出して入れ換えし、このＳＩＭホルダーに装着して簡単に利用することもできる。
【図面の簡単な説明】
【図１】本発明のＳＩＭホルダーの例を示す図である。
【図２】ＳＩＭホルダーに成形体を取り付ける状態を示す図である。
【図３】ＳＩＭホルダーに取り付ける装飾的材料の例を示す図である。
【図４】装飾的材料の他の例を示す図である。
【図５】ＳＩＭホルダーにＳＩＭを装着して下側ケース部から見た図である。
【図６】本発明に使用するＳＩＭの例を示す図である。
【図７】従来のＳＩＭホルダーを示す図である。
【符号の説明】
１　　ＳＩＭホルダー
２　　ＳＩＭ
５　　成形体
６　　装飾的材料
７　　顔写真加工
８　　ネームプリント
９　　番号プリント
１１　　アンテナコイル
１２　　端子板
１３　　コンタクトピン
１４　　キーの取り付け穴
１５　　挿入口
１６　　ピン穴
１８　　上蓋部
１９　　下側ケース部
２０　　基板
２１　　アンテナコイル
２２　　接触端子板
２３　　切り欠き
【図１】
2004139480.tif 000003
【図２】
2004139480.tif 000004
【図３】
2004139480.tif 000005
【図４】
2004139480.tif 000006
【図５】
2004139480.tif 000007
【図６】
2004139480.tif 000008
【図７】
2004139480.tif 000009